(57)【特許請求の範囲】
【請求項１】
筐体と、
遊技者が対面する前記筐体の前方に取り付けられた前面パネルと、
板金により形成され、前記筐体における左右の側板の少なくとも一方の内側面に取り付けられ、縦方向に延設された筐体補強用枠体と、
少なくとも１つの送風機とを有し、
前記筐体補強用枠体には、前記送風機が取り付けられた空気流入口と前記筐体の前方側に向かって開口した空気流出口とを連通する筐体側送風路が少なくとも１つ形成され、
前記筐体側送風路の前記空気流出口から前記筐体の前方に送り出される空気により、前記前面パネルの横にエアーカーテンが生成され、
前記筐体側送風路が、前記筐体の前記側板と前記筐体補強用枠体の前記板金とにより囲われた空間を利用して形成された、
遊技機。
【請求項２】
前記筐体側送風路は、前記筐体の後方側に向かって開口した１つの前記空気流入口と前記筐体の前方側に向かって開口した複数の前記空気流出口とを連通する、
請求項１に記載の遊技機。
【請求項３】
少なくとも１つの前記筐体側送風路が、前記空気流入口からの距離が等しい２つの前記空気流出口を備える、
請求項２に記載の遊技機。
【請求項４】
少なくとも１つの前記筐体側送風路が、前記空気流入口からの距離が等しい２つの前記空気流出口と、当該２つの空気流出口の中間に設けられた１つの前記空気流出口とを備える、
請求項２に記載の遊技機。
【請求項５】
少なくとも１つの前記筐体側送風路にプラズマ発生器が取り付けられている、
請求項１乃至４のいずれか一項に記載の遊技機。
【請求項６】
前記前面パネルの左右両側縁には、左右一対の仕切り用パネルが対向するように突設され、
前記各仕切り用パネルには、それぞれ前記筐体側送風路の前記空気流出口と連通する複数のパネル側送風路が形成され、
前記複数のパネル側送風路の空気流出口は、前記各仕切り用パネルの先端縁に沿って所定間隔を置いて形成され、
前記複数のパネル側送風路の空気流出口から前記筐体の前方に送り出される空気により、前記前面パネルの左右両側にエアーカーテンが生成される、
請求項１乃至５のいずれか一項に記載の遊技機。
【請求項７】
前記各仕切り用パネルは、透光性を有する材料で形成され、内部にＬＥＤ表示部材が組み付けられている、
請求項６に記載の遊技機。
【請求項８】
前記各パネル側送風路の空気流出口は、縦長のスリット状に形成されている、
請求項６または７に記載の遊技機。
【請求項９】
前記各パネル側送風路は上方側に湾曲形成され、
前記各パネル側送風路の空気流出口から前記筐体の前方に送り出される空気が斜め上方に導かれる、
請求項６乃至８のいずれか一項に記載の遊技機。
【発明の詳細な説明】
【技術分野】
【０００１】
本発明は、パチンコホール等の遊技場に設置されるパチンコ機やスロット機等の遊技機に関するものである。
【背景技術】
【０００２】
一般的に、遊技場においては、多数の遊技機が直線的に一列に配列されるとともに、このような遊技機の列が平行に複数並んで配置される。遊技機の列の間には、細い通路が確保されている。したがって、横に並んで座った多数の遊技者が、背中合わせで遊技機に向かい遊技を行なうようになっている。
【０００３】
遊技場には、遊技者の喫煙によるタバコの煙等が遊技場内に滞留しないように、換気装置等の設備が備えられている。換気装置等は天井や側壁に設置されているために、その設置場所近辺の換気は良いが、遊技者の周囲の換気は不十分なものとなっており、隣席の遊技者が喫煙した場合にタバコの煙等の流入が避けられなかった。
隣席の遊技者が喫煙すると、喫煙者が直接吐出すタバコの煙や灰皿に置かれたタバコの煙が隣席の非喫煙者の方に流入し、非喫煙者にとっては極めて不愉快なものとなっていた。したがって、非喫煙者は遊技に集中することができず、遊技場へ通うことを避けるようになっていた。
【０００４】
また、隣り合う遊技機が接近して設置されているので、飲酒した隣席の遊技者の口臭等も不愉快なものとなっていた。
【０００５】
そこで、非喫煙者が隣席の遊技者の喫煙によるタバコの煙等で不愉快にならないように、隣り合う遊技機の間に換気装置等を設置し、隣席の遊技者のタバコの煙等の流入を防ぐ遊技場が見られるようになった。
【発明の概要】
【発明が解決しようとする課題】
【０００６】
しかしながら、遊技機の間に換気装置等を設置する場合、一列に配置される各遊技機の間に換気装置等を置くためのスペースを確保しておく必要がある。
上記スペースを各遊技機の間に設けた場合、一列に配置可能な遊技機の数が少なくなり、遊技機の設置スペースファクタが悪いものとなっていた。
【０００７】
本発明は上述した従来の課題に鑑みてなされたものであり、遊技機の設置スペースファクタを落とすことなく、隣席からのタバコの煙等の流入を防止できる遊技機を提供することを目的とする。
【課題を解決するための手段】
【０００８】
上述した従来の課題を解決し、上述した目的を達成するため、本発明の遊技機は、筐体と、遊技者が対面する前記筐体の前方に取り付けられた前面パネルと、前記筐体における左右の側板の少なくとも一方の内側面に取り付けられ、縦方向に延設された筐体補強用枠体と、少なくとも１つの送風機とを有する。前記筐体補強用枠体には、前記送風機が取り付けられた空気流入口と前記筐体の前方側に向かって開口した空気流出口とを連通する筐体側送風路が少なくとも１つ形成される。前記筐体側送風路の前記空気流出口から前記筐体の前方に送り出される空気により、前記前面パネルの横にエアーカーテンが生成される。
【０００９】
この構成によれば、前記筐体側送風路から前記筐体の前方に送り出される空気によって前記前面パネルの横にエアーカーテンが形成されるため、隣席からのタバコの煙等の流入が防止される。また、前記筐体の前記側板に取り付けられた前記筐体補強用枠体に前記筐体側送風路が形成されることから、前記筐体の横方向に前記筐体側送風路の専用のスペースを設ける必要がない。そのため、遊技機の横方向における設置スペースファクタが低下しない。
【００１０】
好適には、前記筐体補強用枠体が板金により形成され、前記筐体の前記側板と前記筐体補強用枠体の前記板金とにより囲われた空間を利用して前記筐体側送風路が形成されている。
この構成によれば、前記筐体の前記側板と前記筐体補強用枠体の前記板金とにより囲われた空間に仕切りを設けることにより、簡易な構成で前記筐体側送風路が形成されるので、前記筐体側送風路を形成するための部材が少なくて済み、製造コストが抑制される。
【００１１】
好適には、前記筐体側送風路は、前記筐体の後方側に向かって開口した１つの前記空気流入口と前記筐体の前方側に向かって開口した複数の前記空気流出口とを連通する。
この構成によれば、前記筐体の後方側から前方側に向かって前記送風機からの空気が一方向に流れるため、空気の抵抗が小さくなって風圧の低下が抑えられる。また、１つの前記送風機によって複数の前記空気流出口から空気が流出されるため、簡易な構成でエアーカーテンの範囲が広くなる。
【００１２】
好適には、少なくとも１つの前記筐体側送風路が、前記空気流入口からの距離が等しい２つの前記空気流出口を備える。
この構成によれば、前記筐体側送風路の前記空気流入口から送り込まれる空気が、２つの前記空気流出口へ均等に配分され易くなる。したがって、前記筐体側送風路の２つの前記空気流出口から送り出される空気の流量のばらつきが小さくなる。
【００１３】
好適には、少なくとも１つの前記筐体側送風路が、前記空気流入口からの距離が等しい２つの前記空気流出口と、当該２つの空気流出口の中間に設けられた１つの前記空気流出口とを備える。
この構成によれば、前記筐体側送風路の前記空気流入口から送り込まれる空気が、３つの前記空気流出口へ均等に配分され易くなる。したがって、前記筐体側送風路の３つの前記空気流出口から送り出される空気の流量のばらつきが小さくなる。
【００１４】
好適には、少なくとも１つの前記各筐体側送風路にプラズマ発生器が取り付けられている。
この構成によれば、タバコの煙等の臭い成分がイオン粒子により分解され除去されるため、タバコの煙等の臭いが脱臭される。
【００１５】
好適には、前記前面パネルの左右両側縁には、左右一対の仕切り用パネルが対向するように突設され、前記各仕切り用パネルには、それぞれ前記各筐体側送風路の前記空気流出口と連通する複数のパネル側送風路が形成され、前記複数のパネル側送風路の空気流出口は、前記各仕切り用パネルの先端縁に沿って所定間隔を置いて形成され、前記複数のパネル側送風路の空気流出口から前記筐体の前方に送り出される空気により、前記前面パネルの左右両側にエアーカーテンが生成される。
この構成によれば、各仕切り用パネルの先端縁に形成された前記空気流出口から送り出される空気により、前記前面パネルの左右両側にエアーカーテンが生成されるため、タバコの煙等の流入が防止される。また、各仕切り用パネルによってもタバコの煙等の流入が防止されるため、タバコの煙等の流入防止効果が向上する。
【００１６】
好適には、前記各仕切り用パネルは、透光性を有する材料で形成され、内部にＬＥＤ表示部材が組み付けられている。
この構成によれば、遊技機より離れた位置からも遊技機本体の動作を確認することが可能になり、遊技機本体の動作の視認性が向上する。
【００１７】
好適には、前記各パネル側送風路の空気流出口は、縦長のスリット状に形成されている。
この構成によれば、各パネル側送風路の空気流出口から空気が縦方向に拡散して送り出されるので、縦方向において密なエアーカーテンが生成される。なお、各空気流出口の長さは、遊技者が誤って遊技用コインを投入することないように、遊技用コインの直径より短く形成されることが望ましい。
【００１８】
好適には、前記各パネル側送風路は上方側に湾曲形成され、前記各パネル側送風路の空気流出口から前記筐体の前方に送り出される空気が斜め上方に導かれる。
この構成によれば、タバコの煙等が上方に吹き飛ばされるため、隣席からのタバコの煙等が遊技者の身体に直接吹きかかり難くなる。
【発明の効果】
【００１９】
本発明によれば、遊技機の設置スペースファクタを落とすことなく、隣席からのタバコの煙等の流入を防止できる。
【図面の簡単な説明】
【００２０】
【図１】本発明の実施形態に係るスロット機の外観斜視図である。
【図２】スロット機の筐体内及び仕切り用パネル内を示す右側面図である。
【図３】スロット機の右側上部における筐体内及び仕切り用パネル内を示す拡大斜視図である。
【図４Ａ】筐体補強用枠体の要部拡大斜視図であり、第１筐体側送風路の空気流入口の部分を示す図である。
【図４Ｂ】筐体補強用枠体の要部拡大斜視図であり、第１筐体側送風路の空気流出口の部分を示す図である。
【図５】上側前面パネル補強用枠体の空気流出口の部分を示す拡大斜視図である。
【図６】上側前面パネル補強用枠体の空気流入口の部分を示す拡大斜視図である。
【図７】上側前面パネル補強用枠体を正面側から見た一部切欠き拡大斜視図である。
【図８】スロット機の右側側部における筐体内及び仕切り用パネル内を示す拡大斜視図である。
【図９】右側の仕切り用パネルの一部切欠き拡大斜視図である。
【発明を実施するための形態】
【００２１】
以下、本発明の遊技機の一実施形態に係るスロット機について、図面を参照しながら説明する。なお、本発明はスロット機に限定されず、パチンコ機等の各種の遊技機にも適用可能である。
図１は、本発明の実施形態に係るスロット機の外観斜視図である。図２は、スロット機の筐体内及び仕切り用パネル内を示す右側面図であり、筐体側送風路及びパネル側送風路を模式的に示す図である。図３は、スロット機の右側上部における筐体内及び仕切り用パネル内を示す拡大斜視図である。図４Ａは、筐体補強用枠体の要部拡大斜視図であり、第１筐体側送風路の空気流入口の部分を示す図である。図４Ｂは、筐体補強用枠体の要部拡大斜視図であり、第１筐体側送風路の空気流出口の部分を示す図である。図５は、上側前面パネル補強用枠体の空気流出口の部分を示す斜視図である。図６は、上側前面パネル補強用枠体の空気流入口の部分を示す斜視図である。図７は、上側前面パネル補強用枠体の空気流出口の部分を示す斜視図である。図８は、スロット機の右側側部における筐体内及び仕切り用パネル内を示す拡大斜視図であり、筐体側送風路、枠体側送風用筒部、及びパネル側送風路の関係を示す図である。図９は、右側の仕切り用パネルの一部切欠き拡大斜視図である。
【００２２】
（スロット機の全体構成）
図１〜図３に示すように、スロット機１は、板金により形成された直方体形状の筐体２を有している。
筐体２における左右の側板２Ａの内側面には、筐体２の縦方向に延設された長尺状の筐体補強用枠体３が溶接により取り付けられている。筐体補強用枠体３は、板金により形成される。筐体補強用枠体３を筐体２の側板２Ａの内側面に取り付けることにより、筐体２の側板２Ａが薄板状の板金によって形成されていても、筐体２の強度を十分に確保することができる。
【００２３】
本発明は、筐体が例えば板状の強化プラスチックによって形成されたものであっても良い。また、筐体補強用枠体はダイキャストにより成形されたものであっても良い。
【００２４】
遊戯者が対面する筐体２の前面側には、開口部が形成されている。筐体２には、開口部を開閉する前面パネル４が取り付けられている。前面パネル４は、縦方向の中央部分を境に、上側前面パネル４Ａと下側前面パネル４Ｂとに分離形成されている。
上側前面パネル４Ａの周囲には、上側前面パネル補強用枠体５が取り付けられている。上側前面パネル補強用枠体５の上縁部分は、筐体２の開口部の上縁部分にヒンジ部（図示は省略する）を介して取り付けられている。
上側前面パネル４Ａがヒンジ部を支点として回動することにより、筐体２の開口部が開閉される。
また、下側前面パネル４Ｂの周囲には、下側前面パネル補強用枠体６が取り付けられている。下側前面パネル４Ｂと下側前面パネル補強用枠体６との間には、下側前面パネル４Ｂを上向きに所定角度傾斜させた状態で支持するための左右一対の支持用パネル７が対向するように取り付けられている。支持用パネル７は、透光性を有するプラスチックによって形成されている。
下側前面パネル補強用枠体６は、筐体２内に設けられているスライド機構（図示は省略する）に取り付けられている。下側前面パネル４Ｂは、このスライド機構により、筐体２の前後方向に往復移動が可能となっている。下側前面パネル４Ｂを前方に移動させることにより、筐体２の開口部が開き、下側前面パネル４Ｂを後方に移動させることにより、筐体２の開口部が閉じる。
【００２５】
筐体２の内部には、絵柄を回転させるドラム等を備えたスロット機本体１Ａが収納されている。ドラムの絵柄は、上側前面パネル４Ａを介して視認できるようになっている。また、上側前面パネル４Ａ及び下側前面パネル４Ｂには液晶表示パネル（図示は省略する）が組み込まれており、液晶表示パネルに動画等の画像が表示されるようになっている。なお、上側前面パネル４Ａには、スロット機本体１Ａを操作するスイッチ部等を備えたタッチパネル（図示は省略する）が組み込まれている。
【００２６】
上側前面パネル４Ａの左右両側縁には、左右一対の仕切り用パネル８が対向するように前方へ突設されている。仕切り用パネル８は、透光性を有するプラスチックによって形成されている。仕切り用パネル８の上端縁は、上部パネル９により連結されており、上側前面パネル４Ａは左右一対の仕切り用パネル８と上部パネル９とによって囲まれた状態になっている。
これにより、上側前面パネル４Ａの表面には、周囲の光が入り込んで反射することが生じ難くなるため、上側前面パネル４Ａに表示されるドラムの絵柄や画像等の視認性が良いものとなっている。
【００２７】
仕切り用パネル８の先端縁には、後述する第１パネル側空気流出口４０Ａ、第２パネル側空気流出口４１Ａ、第３パネル側空気流出口４２Ａ及び第４パネル側空気流出口４３Ａが先端縁に沿って所定間隔を置いて形成されている。また、支持用パネル７の先端縁には、後述する第５パネル側空気流出口４４Ａ、第６パネル側空気流出口４５Ａ及び第７パネル側空気流出口４６Ａが先端縁に沿って所定間隔を置いて形成されている。
【００２８】
本実施形態のスロット機１は、仕切り用パネル８の複数のパネル側空気流出口（４０Ａ、４１Ａ、４２Ａ、４３Ａ）及び支持パネル７の複数のパネル側空気流出口（４４Ａ、４５Ａ、４６Ａ）から前方へ空気が送り出される構造となっている。これにより、前面パネル４の側部には、前面パネル４に対して垂直なエアーカーテンが生成される。
左右のエアーカーテンの生成構造は略同一につき、以下では右側のエアーカーテンを構成する右側の筐体補強用枠体３、右側の仕切り用パネル８及び右側の支持用パネル７について説明し、左側のエアーカーテンの生成構造については説明を省略する。
【００２９】
（筐体側送風路）
筐体補強用枠体３は、筐体２の右側板２Ａの内側面において、筐体２の天板２Ｂから底板２Ｃに亘り延設されており、所定角度後方側に傾斜した状態で取り付けられている。
図４Ａ及び図４Ｂに示すように、筐体補強用枠体３において前後方向に対向する前方縁及び後方縁には、右側板２Ａと筐体補強用枠体３とにより仕切られた内部空間を形成するための前方側片３Ａ及び後方側片３Ｂが対向するように立ち上がっている。前方側片３Ａ及び後方側片３Ｂは、筐体補強用枠体３の一部を折り曲げて形成される。また、前方側片３Ａの端縁には、筐体補強用枠体３を筐体２の右側板２Ａの内側面に貼り付け固定するための取り付け片３Ｃが設けられている。取り付け片３Ｃは、筐体補強用枠体３の一部を折り曲げることにより形成される。
筐体補強用枠体３は、後方側片３Ｂ及び取り付け片３Ｃの先端を筐体の右側板２Ａの内側面に溶接することにより、右側板２Ａに固定される。
【００３０】
筐体補強用枠体３内には、第１筐体側送風路２０、第２筐体側送風路２１及び第３筐体側送風路２２が筐体補強用枠体３の縦方向に所定間隔を置いて形成される。
【００３１】
第１筐体側送風路２０は、板金からなる略Ｌ字状の一対の仕切り片２０ａを所定距離隔てて対向させることにより形成される。各仕切り片２０ａの端部は、前方側片３Ａと後方側片３Ｂに溶接される。第１筐体側送風路２０は、第１筐体側空気流入口２０Ａ側に比べて第１筐体側空気流出口２０Ｂ側が幅広となっている。
【００３２】
第１筐体側送風路２０は、後方側片３Ｂに形成された１つの第１筐体側空気流入口２０Ａと、前方側片３Ａに形成された２つの第１筐体側空気流出口２０Ｂとを連通する。第１筐体側空気流入口２０Ａは筐体２の後方側に向かって開口し、第１筐体側空気流出口２０Ｂは筐体２の前方側に向かって開口する。２つの第１筐体側空気流出口２０Ｂは、前方側片３Ａにおいて、第１筐体側空気流入口２０Ａを中心として対称な距離を隔てた２箇所に形成されている。すなわち、２つの第１筐体側空気流出口２０Ｂは、第１筐体側空気流入口２０Ａからの距離が略等しい。なお、２つの第１筐体側空気流出口２０Ｂは、それぞれ縦長のスリット状に形成されている。
【００３３】
第２筐体側送風路２１は、第１筐体側送風路２０と同様に、板金からなる略Ｌ字状の一対の仕切り片２１ａを所定距離隔てて対向させることにより形成される。各仕切り片２１ａの端部は前方側片３Ａと後方側片３Ｂに溶接される。第２筐体側送風路２１は、第２筐体側空気流入口２１Ａに比べて第２筐体側空気流出口２１Ｂ側が幅広となっている。
第２筐体側送風路２１は、後方側片３Ｂに形成された１つの第２筐体側空気流入口２１Ａと、前方側片３Ａに形成された３つの第２筐体側空気流出口２１Ｂとを連通する。第２筐体側空気流入口２１Ａは筐体２の後方側に向かって開口し、第２筐体側空気流出口２１Ｂは筐体２の前方側に向かって開口する。１つの第２筐体側空気流出口２１Ｂは、前方側片３Ａにおいて、第２筐体側空気流入口２１Ａと対向する箇所に形成され、他の２つの第２筐体側空気流出口２１Ｂは、第２筐体側空気流入口２１Ａを中心として対称な距離を隔てた２箇所に形成されている。すなわち、３つの第２筐体側空気流出口２１ＢＢのうち２つの第２筐体側空気流出口２１Ｂは、第２筐体側空気流入口２１Ａからの距離が互いに等しく、この２つの第２筐体側空気流出口２１Ｂの中間に、残りの１つの第２筐体側空気流出口２１Ｂが設けられている。なお、３つの第２筐体側空気流出口２１Ｂは、それぞれ縦長のスリット状に形成されている。
【００３４】
第３筐体側送風路２２は、第１筐体側送風路２０と同様に、板金からなる略Ｌ字状の一対の仕切り片２２ａを所定距離隔てて対向させることにより形成される。各仕切り片２２ａの端部は前方側片３Ａと後方側片３Ｂに溶接される。第３筐体側送風路２２は、第３筐体側空気流入口２２Ａに比べて第３筐体側空気流出口２２Ｂ側が幅広となっている。
第３筐体側送風路２２は、後方側片３Ｂに形成された１つの第３筐体側空気流入口２２Ａと、前方側片３Ａに形成された２つの第３筐体側空気流出口２２Ｂとを連通する。第３筐体側空気流入口２２Ａは筐体２の後方側に向かって開口し、第３筐体側空気流出口２２Ｂは筐体２の前方側に向かって開口する。２つの第３筐体側空気流出口２２Ｂは、前方側片３Ａにおいて、第３筐体側空気流入口２２Ａを中心として対称な距離を隔てた２箇所に形成されている。すなわち、２つの第３筐体側空気流出口２２Ｂは、第３筐体側空気流入口２２Ａからの距離が略等しい。なお、２つの第３筐体側空気流出口２２Ｂは、それぞれ縦長のスリット状に形成されている。
【００３５】
第１筐体側空気流入口２０Ａ、第２筐体側空気流入口２１Ａ及び第３筐体側空気流入口２２Ａには、それぞれ送風機５０が取り付けられている。各送風機５０によって送り出される空気は、各筐体側空気流入口（２０Ａ、２１Ａ、２２Ａ）から各筐体側空気送風路（２０、２１、２２）を通り、各筐体側空気流出口（２０Ｂ、２１Ｂ、２２Ｂ）から筐体２の前方側へ送り出される。
【００３６】
筐体補強用枠体３において、第１筐体側送風路２０の第１筐体側空気流入口２０Ａの近傍には開口部３Ｄが形成され、この開口部３Ｄにプラズマ発生器５１が取り付けられている。プラズマ発生器５１は、タバコの煙等の臭い成分をイオン粒子によって分解することにより除去するものであり、タバコの臭い等を脱臭できる。
イオン粒子はタバコの煙等に付着して下の方に落ちていく性質があるため、プラズマ発生器５１は筐体２内の上部側に取り付けておくことが好ましい。なお、本実施形態においては、第１筐体側送風路２０にプラズマ発生器５１が取り付けられているが、プラズマ発生器５１の取り付け位置はこれに限定されず、第２筐体側送風路２１の第２筐体側空気流入口２１Ａの近傍や、第３筐体側送風路２２の第２筐体側空気流入口２２Ａの近傍などに取り付けられても良い。
【００３７】
（枠体側送風用筒部）
図５〜図７に示すように、上側前面パネル補強用枠体５における左右の側枠部５Ａの背面側には、第１枠体側送風用筒部３０、第２枠体側送風用筒部３１、第３枠体側送風用筒部３２及び第４枠体側送風用筒部３３がそれぞれ縦方向に所定間隔を置いて突設されている。
上側前面パネル３Ａの回動操作によって筐体２の開口部が閉じられた時、各枠体側送風用筒部（３０、３１、３２、３３）の先端は、筐体補強用枠体３の前方片３Ａに突き当て支持される。
【００３８】
この時、第１枠体側送風用筒部３０の先端に開設されている第１枠体側空気流入口３０Ａと、第２枠体側送風用筒部３１の先端に開設されている第２枠体側空気流入口３１Ａとが、２つの第１筐体側空気流出口２０Ｂに接合される状態になる。また、第３枠体側送風用筒部３２の先端に開設されている第３枠体側空気流入口３２Ａと、第４枠体側送風用筒部３３の先端に開設されている第４枠体側空気流入口３３Ａとが、２つの第２筐体側空気流出口２１Ｂに接合される状態になる。
【００３９】
上側前面パネル補強用枠体５における左右の側枠部５Ａの正面側には、第１枠体側送風用筒部３０の第１枠体側空気流出口３０Ｂ、第２枠体側送風用筒部３１の第２枠体側空気流出口３１Ｂ、第３枠体側送風用筒部３２の第３枠体側空気流出口３２Ｂ及第４枠体側送風用筒部３３の第４枠体側空気流出口３３Ｂが開設されている。
【００４０】
下側前面パネル補強用枠体６における左右の側枠部６Ａの背面側には、上側前面パネル補強用枠体５と同じように、第５枠体側送風用筒部３４、第６枠体側送風用筒部３５及び第７枠体側送風用筒部３６がそれぞれ縦方向に所定間隔を置いて突設されている。
下側前面パネル４Ｂの移動操作によって筐体２の開口部が閉じられた時、各枠体側送風用筒部（３４、３５、３６）の先端は、筐体側補強用枠体３の前方片３Ａに突き当て支持される。
【００４１】
この時、第５枠体側送風用筒部３４の先端に開設されている第５枠体側空気流入口３４Ａが、第２筐体側空気流出口２１Ｂに接合される状態になる。第６枠体側送風用筒部３５の先端に開設されている第６枠体側空気流入口３５Ａと、第７枠体側送風用筒部３６の先端に開設されている第７枠体側空気流入口３６Ａとが、２つの第３筐体側空気流出口２２Ｂに接合される状態になる。
【００４２】
下側前面パネル補強用枠体６における左右の側枠部６Ａの正面側には、第５枠体側送風用筒部３４の第５枠体側空気流出口３４Ｂ、第６枠体側送風用筒部３５の第６枠体側空気流出口３５Ｂ及び第７枠体側送風用筒部３６の第７枠体側空気流出口３６Ｂが開設されている。
【００４３】
（パネル側送風路）
＜仕切り用パネル＞
一対の仕切り用パネル８の先端縁は、筐体２の中央から上方へ向かうにつれて前方へせり出すように湾曲形成されており、上部パネル９がひさしのように前方へ突き出ている。
仕切り用パネル８は、一対のパネル部を重ね合わせて形成されており、内側に空間部を有する。仕切り用パネル８の空間部は、第１パネル側送風路４０、第２パネル側送風路４１、第３パネル側送風路４２及び第４パネル側送風路４３に区画形成されている。
図８及び図９に示すように、仕切り用パネル８の各パネル側送風路（４０、４１、４２、４３）は、上方側に湾曲形成される。これにより、各パネル側送風路（４０、４１、４２、４３）の各パネル側空気流出口（４０Ａ、４１Ａ、４２Ａ、４３Ａ）から筐体２の前方に送り出される空気は、斜め上方に導かれる。
【００４４】
送風機５０によって各筐体側送風路（２０、２１）内に送り込まれた空気は、各枠体側送風用筒部（３０、３１、３２、３３）及び各パネル側送風路（４０、４１、４２、４３）を通り、各パネル側空気流出口（４０Ａ、４１Ａ、４２Ａ、４３Ａ）から筐体２の前方に送り出される。この送り出された空気により、上側前面パネル３Ａの左右両側にエアーカーテンが生成される。
【００４５】
左右の仕切り用パネル８の内部には、スロット機本体１Ａの入賞等の動作を表示するＬＥＤ表示シート５２が組み込まれている。
【００４６】
＜支持用パネル＞
支持用パネル７は、仕切り用パネル８と同じように、一対のパネル部を重ね合わせて形成されており、内側に空間部を有する。支持用パネル７の空間部は、第５パネル側送風路４４、第６パネル側送風路４５及び第７パネル側送風路４６に区画形成されている。
支持用パネル７の各パネル側送風路（４４、４５、４６）は、仕切り用パネル８の各パネル側送風路（４０、４１、４２、４３）と同じように、上方側に湾曲形成される。これにより、各パネル側送風路（４４、４５、４６）の各パネル側空気流出口（４４Ａ、４５Ａ、４６Ａ）から筐体２の前方に送り出される空気は、斜め上方に導かれる。
【００４７】
送風機５０によって各筐体側送風路（２１、２２）内に送り込まれた空気は、各枠体側送風用筒部（３４、３５、３６）及び各パネル側送風路（４４、４５、４６）を通り、各パネル側空気流出口（４４Ａ、４５Ａ、４６Ａ）から筐体２の前方に送り出される。この送り出された空気により、下側前面パネル３Ｂの左右両側にエアーカーテンが生成される。
【００４８】
左右の支持用パネル７の内部には、スロット機本体１Ａの入賞等の動作を表示するＬＥＤ表示シート５３が組み込まれている。
【００４９】
（エアーカーテンの生成動作）
筐体２内に組み込まれた送風機５０によって、筐体補強用枠体の各筐体側送風路（２０、２１、２２）に空気が送り込まれる。この送り込まれた空気は、各筐体側送風路（２０、２１、２２）を通り、各枠体側送風用筒部（３０、３１、３２、３３、３４、３５、３６）を通り、さらに各パネル側送風路（４０、４１、４２、４３、４４、４５、４６）を通って、各パネル側空気流出口（４０Ａ、４１Ａ、４２Ａ、４３Ａ、４４Ａ、４５Ａ、４６Ａ）から筐体２の前方に送り出される。この前方に送り出された空気により、前面パネル３の左右両側にエアーカーテンが生成される。
【００５０】
各パネル側空気流出口（４０Ａ、４１Ａ、４２Ａ、４３Ａ、４４Ａ、４５Ａ、４６Ａ）は、縦長のスリット状に形成されている。これにより、空気は各空気流出口（４０Ａ、４１Ａ、４２Ａ、４３Ａ、４４Ａ、４５Ａ、４６Ａ）から縦方向に拡散して送り出されるため、縦方向における風量のむらが小さくなり、均一な風量のエアーカーテンが生成される。なお、各パネル側空気流出口（４０Ａ、４１Ａ、４２Ａ、４３Ａ、４４Ａ、４５Ａ、４６Ａ）の開口長さは、遊技者が誤って遊技用コインを投入することないように、遊技用コインの直径より短く形成されている。
【００５１】
（まとめ）
本実施形態に係るスロット機１によれば、仕切り用パネル８及び支持用パネル７の先端縁に形成されている各パネル側空気流出口（４０Ａ、４１Ａ、４２Ａ、４３Ａ、４４Ａ、４５Ａ、４６Ａ）から筐体２の前方側へ空気が送り出されることにより、前面パネル４の側縁に沿ってエアーカーテンが生成される。そのため、隣席からのタバコの煙等の流入を効果的に防止でき、不快感を軽減することができる。また、各仕切り用パネル８もタバコの煙等の流入を遮断する機能を備えているため、タバコの煙等の流入をより効果的に抑えることができる。
【００５２】
また、本実施形態に係るスロット機１によれば、筐体２の側板２Ａに取り付けられた筐体補強用枠体３に筐体側送風路（２０、２１、２２）が形成されることから、筐体２の横方向に筐体側送風路３の専用のスペースを設ける必要がない。すなわち、筐体側送風路を持たない通常の筐体補強用枠体で側板が補強された従来のスロット機と比較して、横幅を広げる必要がない。そのため、スロット機１の横方向における設置スペースファクタを低下させずにエアーカーテンを生成できる。
【００５３】
また、本実施形態に係るスロット機１によれば、筐体補強用枠体３が板金により形成されており、筐体２の側板２Ａと筐体補強用枠体３の板金とにより囲われた空間を利用して筐体側送風路（２０、２１、２２）が形成されている。これにより、筐体２の側板２Ａと筐体補強用枠体３の板金とにより囲われた空間に仕切り（２０ａ、２１ａ、２２ａ）を設けるだけの簡易な構成で筐体側送風路３を形成できるため、筐体側送風路３を形成するための部材が少なくて済み、製造コストを安価にすることができる。
【００５４】
また、本実施形態に係るスロット機１によれば、筐体２の後方側に向かって開口した１つの空気流入口（２０Ａ、２１Ａ、２２Ａ）と、筐体２の前方側に向かって開口した複数の空気流出口（２０Ｂ、２１Ｂ、２２Ｂ）とを、１つの筐体側送風路（２０、２１、２２）が連通する。これにより、送風機からの空気が筐体２の後方側から前方側に向かって概ね一方向に流れるため、空気の抵抗が小さくなり、風圧の低下を抑えることができる。しかも、１つの送風機５０によって複数の空気流出口（２０Ｂ、２１Ｂ、２２Ｂ）から空気を流出させることができるため、筐体側送風路（２０、２１、２２）の本数を少なくした簡易な構成でエアーカーテンの範囲を広げることができる。
【００５５】
また、本実施形態に係るスロット機１によれば、筐体側送風路（２０、２２）において１つの筐体側空気流入口（２０Ａ、２２Ａ）と２つの筐体側空気流出口（２０Ｂ、２２Ｂ）との距離が等しい。これにより、筐体側送風路（２０，２２）の筐体側空気流入口（２０Ａ、２２Ａ）から送り込まれる空気が、２つの筐体側空気流出口（２０Ｂ、２２Ｂ）へ均等に配分され易くなる。したがって、筐体側送風路（２０、２２）の２つの筐体側空気流出口（２０Ｂ、２２Ｂ）から送り出される空気の流量のばらつきを小さくすることができ、エアーカーテンの空気の流量を均一にすることができる。
【００５６】
また、本実施形態に係るスロット機１によれば、筐体側送風路２１において１つの筐体側空気流入口２１Ａと２つの筐体側空気流出口２１Ｂとの距離が等しく、当該２つの筐体側空気流出口２１Ｂの中間に１つの筐体側空気流出口２１Ｂが設けられている。これにより、筐体側送風路２１の筐体側空気流入口２１Ａから送り込まれる空気が、３つの筐体側空気流出口２１Ｂへ均等に配分され易くなる。したがって、筐体側送風路２１の２つの筐体側空気流出口２１Ｂから送り出される空気の流量のばらつきを小さくすることができ、エアーカーテンの空気の流量を均一にすることができる。
【００５７】
また、本実施形態に係るスロット機１によれば、仕切り用パネル８のパネル側送風路（４０、４１、４２、４３、４４、４５、４６）が上方側に湾曲形成され、パネル側送風路（４０、４１、４２、４３、４４、４５、４６）のパネル側空気流出口（４０Ａ、４１Ａ、４２Ａ、４３Ａ、４４Ａ、４５Ａ、４６Ａ）から筐体２の前方に送り出される空気が斜め上方に導かれる。
これにより、パネル側空気流出口（４０Ａ、４１Ａ、４２Ａ、４３Ａ、４４Ａ、４５Ａ、４６Ａ）から送り出される空気によりタバコの煙等を上方に吹き飛ばすことができるため、遊技者の身体に直接タバコの煙等が吹きかかることを防ぐことができる。
【００５８】
また、本実施形態に係るスロット機１によれば、仕切り用パネル８の内部及び支持用パネル７の内部にＬＥＤ表示シート（５２、５３）が組み込まれている。
これにより、スロット機１の入賞時におけるスロット機本体１Ａの動作表示等を離れた位置から容易に確認できるため、スロット機本体１Ａの動作の視認性を高めることができる。
【００５９】
本発明は上述した実施形態には限定されない。すなわち、当業者は、本発明の技術的範囲またはその均等の範囲内において、上述した実施形態の構成要素に関し、様々な変更、コンビネーション、サブコンビネーション、並びに代替を行ってもよい。
【００６０】
例えば、本発明の他の実施形態では、前面パネルの左右両側に仕切り用パネルが設けられていなくてもよい。この場合、筐体側送風路の空気流出口から筐体の前方に送り出される空気により、前面パネルの左右両側にエアーカーテンが生成されてもよい。
【００６１】
また、本発明の他の実施形態では、左右の一方のみでエアーカーテンが生成されるように、筐体補強用枠体の筐体側送風路と送風機とが左右の一方のみに設けられていてもよい。
【産業上の利用可能性】
【００６２】
本発明は、隣席からのタバコの煙等の流入を防止する機能を備えた遊技機に利用可能である。
【符号の説明】
【００６３】
１・・・・・・・・・・・・・・・・・スロット機（遊技機）
１Ａ・・・・・・・・・・・・・・・・スロット機本体
２・・・・・・・・・・・・・・・・・筐体
２Ａ・・・・・・・・・・・・・・・・側板
３、３・・・・・・・・・・・・・・・筐体補強用枠体
４・・・・・・・・・・・・・・・・・前面パネル
４Ａ・・・・・・・・・・・・・・・・上側前面パネル
４Ｂ・・・・・・・・・・・・・・・・下側前面パネル
７、７・・・・・・・・・・・・・・・支持用パネル
８、８・・・・・・・・・・・・・・・仕切り用パネル
２０、２１、２２・・・・・・・・・・筐体側送風路
２０Ａ、２１Ａ、２２Ａ・・・・・・・筐体側空気流入口
２０Ｂ、２１Ｂ、２２Ｂ・・・・・・・筐体側空気流出口
４０、４１、４２、４３・・・・・・・パネル側送風路
４４、４５、４６・・・・・・・・・・パネル側送風路
４０Ａ、４１Ａ、４２Ａ・・・・・・・パネル側空気流出口
４３Ａ、４４Ａ、４５Ａ、４６Ａ・・・パネル側空気流出口
５０、５０、５０・・・・・・・・・・送風機
５１・・・・・・・・・・・・・・・・プラズマ発生器
５２、５３・・・・・・・・・・・・・ＬＥＤ表示シート
【要約】
【課題】遊技機の設置スペースファクタを落とすことなく、隣席からのタバコの煙等の流入を防止できる遊技機を提供する。
【解決手段】スロット機１の筐体２は、板金により形成された左右の側板２Ａを有し、各側板２Ａの内側面には板金により形成された長尺状の筐体補強用枠体３が溶接により取り付けられている。筐体補強用枠体３内には、枠体側送風路２０、２１、２２が形成され、これら枠体側送風路２０、２１、２２から筐体２の前方に送り出される空気により、前面パネル４の左右両サイドにエアーカーテンが生成される。
【選択図】図２【図１】
0006049234.tif 000002
【図２】
0006049234.tif 000003
【図３】
0006049234.tif 000004
【図４Ａ】
0006049234.tif 000005
【図４Ｂ】
0006049234.tif 000006
【図５】
0006049234.tif 000007
【図６】
0006049234.tif 000008
【図７】
0006049234.tif 000009
【図８】
0006049234.tif 000010
【図９】
0006049234.tif 000011